(57)【要約】 【課題】  筐体を見栄えよくかつ簡便に組み立てることができるようにする。【解決手段】  電子鍵盤楽器の筐体は、鍵盤部が載置される底板部を含む第１の筐体部分と、屋根板部と背面板部とを含む第２の筐体部分とを有し、前記第１の筐体部分に対して前記第２の筐体部分を着脱可能に取り付けることで該筐体を構成する。第２の筐体部分は、前記屋根板部と前記背面板部とを結合する補強部材を更に含み、前記第１の筐体部分に対して該第２の筐体部分を取り付けて前記筐体を構成するとき、前記補強部材が前記底板部に結合する。これにより、第２の筐体部分の強度が増して着脱に適したものとなり、また、筐体の構造全体の補強にも役立つ。【選択図】  図３
2004213044.tif 000002
【特許請求の範囲】
【請求項１】
鍵盤部と、該鍵盤部を配置した筐体とを具備する電子鍵盤楽器において、
前記筐体は、前記鍵盤部が載置される底板部を含む第１の筐体部分と、屋根板部と背面板部とを含む第２の筐体部分とを有し、前記第１の筐体部分に対して前記第２の筐体部分を着脱可能に取り付けることで該筐体を構成し、
前記第２の筐体部分は、前記屋根板部と前記背面板部とを結合する補強部材を更に含み、前記第１の筐体部分に対して該第２の筐体部分を取り付けて前記筐体を構成するとき、前記補強部材が前記底板部に結合することを特徴とする電子鍵盤楽器。
【請求項２】
前記補強部材の下端と前記背面板部の下縁部との間に前記底板部の縁部を挟持することを特徴とする請求項１に記載の電子鍵盤楽器。
【請求項３】
前記補強部材の下端と前記背面板部の下縁部との間に挟持した前記底板部の縁部をネジ止めにより固着することを特徴とする請求項２に記載の電子鍵盤楽器。  
【請求項４】
前記背面板部の下縁部に切り溝を設けたことを特徴とする請求項２又は３に記載の電子鍵盤楽器。
【発明の詳細な説明】
【技術分野】
【０００１】
本発明は、電子鍵盤楽器の筐体構造に関する。
【背景技術】
【０００２】
全体としてフラットな盤状の筐体形状を有する電子鍵盤楽器において、その筐体構造は、鍵盤部が載置される底板部と、鍵盤部の前に位置する口棒部と、鍵盤部の左右側に位置する左右の側板部と、後方上面を構成する屋根板部と、背面板部とで構成され、一般にこれらの各板部がネジ等を介して相互に結合されることで、ケース状の筐体が形成される。しかし、このような筐体構成では筐体内部の保守点検を行う際の筐体の分解及び再組立作業が面倒であった。
これに対して、下記特許文献１には、電子鍵盤楽器の筐体を上面部及び背面部を一体化した後方カバーと本体部とで構成し、本体部に備わる底板部に対して後方カバーを蝶番によって結合し、該後方カバーを開閉可能にしたものが示されている。しかし、この場合は、筐体を組み立てる際に、後方カバーを本体部に固定するための最後のネジ締めが必ず筐体上面側においてなされるので、ネジ頭が上面に露出してしまい、外観上好ましくなかった。また、後方カバーは筐体本体部に対して着脱自在ではないため、組立が面倒であり、筐体内部の回路基板等の保守点検もやりにくい面があった。
【特許文献１】実開昭６２−１０３３８２号公報
【０００３】
また、上述のタイプの電子鍵盤楽器にあっては、保守点検のしやすさ等を考慮して、メイン回路基板は底板部に配置されていた。しかし、メイン回路基板を鍵盤部の背後において底板部上に設ける場合は、底板部の前後方向のサイズを大きくせざるを得ず、楽器の前後方向のサイズが大きくなってしまう。また、メイン回路基板を鍵盤部の下側において底板部上に設ける場合は、楽器のたて方向の厚みが増してしまう。
【発明の開示】
【発明が解決しようとする課題】
【０００４】
本発明は上述の点に鑑みてなされたもので、筐体を見栄えよくかつ簡便に組み立てることができ、また筐体内部の保守点検もしやすい筐体構造を有する電子鍵盤楽器を提供しようとするものである。
【課題を解決するための手段】
【０００５】
本発明は、鍵盤部と、該鍵盤部を配置した筐体とを具備する電子鍵盤楽器において、前記筐体は、前記鍵盤部が載置される底板部を含む第１の筐体部分と、屋根板部と背面板部とを含む第２の筐体部分とを有し、前記第１の筐体部分に対して前記第２の筐体部分を着脱可能に取り付けることで該筐体を構成し、前記第２の筐体部分は、前記屋根板部と前記背面板部とを結合する補強部材を更に含み、前記第１の筐体部分に対して該第２の筐体部分を取り付けて前記筐体を構成するとき、前記補強部材が前記底板部に結合することを特徴とする。これによれば、筐体を、第１の筐体部分と第２の筐体部分の２つの部分に分けて、該第２の筐体部分を第１の筐体部分に対して着脱可能にしているので、筐体を簡便に組み立て及び／または分解することができ、また、補強部材により第２の筐体部分を補強するので着脱に適したものとなり、これに伴い筐体内部の保守点検も行いやすくなる。また、第１の筐体部分に対して該第２の筐体部分を取り付けて筐体を構成するとき、該補強部材が前記底板部に結合することで、該筐体の構造全体の補強にも役立つ。
【０００６】
実施例によれば、前記補強部材（結合保持板２１ａ〜２１ｃ）の下端（５３ａ〜５３ｃ）と前記背面板部（７）の下縁部（５１）との間に前記底板部（５）の縁部を挟持する。これにより、第１の筐体部分に対して第２の筐体部分を取り付け易くなる。また、実施例によれば、前記補強部材（２１ａ〜２１ｃ）の下端（５３ａ〜５３ｃ）と前記背面板部（７）の下縁部（５１）との間に挟持した前記底板部（５）の縁部をネジ止めにより固着する。
【発明を実施するための最良の形態】
【０００７】
以下、添付図面を参照して本発明の一実施例について説明する。
図１（ａ）は本発明に係る電子鍵盤楽器の一例を示す平面図であり、（ｂ）にその背面図、（ｃ）に底面図をそれぞれ示す。本実施例に係る電子鍵盤楽器の筐体１は、大別して筐体本体部２（第１の筐体部分）と筐体後部３（第２の筐体部分）とで構成され、図２に略示するように筐体本体部２に対して筐体後部３が着脱式に取り付けられる。筐体本体部２は、鍵盤部９が載置される底板部５と、鍵盤部９の前で底板部５から立ち上がる口棒部８と、鍵盤部９の左右側で底板部５から立ち上がる左右の側板部６ａ、６ｂとを含み、これら底板部５、側板部６ａ，６ｂ及び口棒部８はネジ等適宜の接合手段を介して相互に接合固定されている。筐体後部３は、筐体１の後方上面を構成する屋根板部４と、屋根板部４の後縁から立ち下がる背面板部７とを含み、屋根板部４と背面板部７はネジ等適宜の接合手段を介して相互に接合固定されている。背面板部７には、図１（ｂ）に示すように、メイントーンホール１０ａ，１０ｂが設けられており、これらは左右両スピーカ（図示せず）からの音響出力の放音口である。屋根板部４の所定個所には、図１（ａ）に示すように、スピーカ裏面からの音響振動を放音する開口部であるサブトーンホール１１ａ，１１ｂと各種操作スイッチ及び表示器等を含む操作パネル１２とが設けられている。
【０００８】
筐体本体部２に対する筐体後部３の取付は、筐体後部３を筐体本体部２に対してスライド固着するスライド固着手段を介して行われる。最初に説明する実施例においては、スライド固着手段を構成する機構は、筐体後部３においては屋根板部４の下面に設けられ、筐体本体部２においては左右側板部６ａ，６ｂの上端部に設けられており、これにより、該スライド固着手段は、筐体後部３を筐体本体部２の左右側板部６ａ，６ｂに対してスライド固着するように構成されている。
【０００９】
まず、筐体後部３の具体例について図３（ａ）〜（ｃ）を参照して説明する。（ａ）は筐体１内側から背面板部７の裏面を見た筐体後部３の立面図であり、（ｂ）は図３（ａ）の矢印ａから屋根板部４の下面を矢視した図であり、（ｃ）は筐体後部３の側面を図３（ａ）の矢印ｂから矢視した右側面図である。筐体後部３を構成する屋根板部４と背面板部７とは略々直角に結合されており、左右及び中央の３個所で結合保持板２１ａ〜２１ｃを介して両者の結合が補強されている。右側の結合保持板２１ａについて図３（ｃ）により説明すると、その後端部で背面板部７と結合し、上端部で屋根板部４と結合しており、下端部５３ａは保持板２１ａの垂直部から連設された折れ曲がり部となっていて、後述するように底板部５にネジ等を介して結合できるようになっている。他の結合保持板２１ｂ，２１ｃも同様に構成されている。背面板部７の左右端方寄りの所定個所には、図３（ａ）に示すように、それぞれスピーカ２０ａ，２ｂが具えられている。中央の結合保持板２１ｃは左右スピーカ２０ａ，２０ｂ間の音響分離の役目も果たしている。また、背面板部７の下縁部５１は内側に向けて略水平方向に折れ曲がっており、後述するように、底板部５の一辺縁に接してネジ等を介して接合される。
【００１０】
図３（ｂ）に示すように、屋根板部４の裏面の左右端部寄りの所定個所には、筐体後部３を左右側板部６ａ，６ｂに対してスライド固着するためのスライド固着手段の一構成要素として、突起部３１ａ〜３１ｄがそれぞれ設けられている。図３（ｃ）により屋根板部４裏面の右端部に設けられたスライド固着用突起部３１ａ、３１ｂについて説明すると、これらは前方寄り及び後方寄りの所定個所にそれぞれ設けられている。突起部３１ａ、３１ｂのそれぞれの先端部にはネジ頭３３ａ、３３ｂが形成されており、このネジ頭３３ａ、３３ｂから所定間隔開けたところにつば部３４ａ、３４ｂを有しており、このネジ頭３３ａ、３３ｂとつば部３４ａ、３４ｂの間にスライド用の隙間部３２ａ、３２ｂが形成されている。屋根板部４裏面の左端部に具備されているスライド固着用突起部３１ｃ，３１ｄも同様な構成である。
【００１１】
次に、筐体本体部２の左右側板部６ａ，６ｂの側に設けられるスライド固着手段の構成要素の一例について、図４及び図５により説明する。図４は筐体本体部２の上面図であり、図５（ａ）はその右側板部６ａの上面を拡大して示す図である。筐体本体部２の左右両側板部６ａ，６ｂの後方上面において、前記筐体後部３の前記スライド固着用突起部３１ａ〜３１ｄに対応する配置でスライド部３５ａ〜３５ｄがそれぞれ設けられている。図５（ａ）に示すとおり、各スライド部３５ａ、３５ｂは、大孔部３６ａ、３６ｂと、この大孔部３６ａ、３６ｂに連なり筐体前方に延びた長孔部３７ａ、３７ｂを具備しており、その周囲には凹部３８ａ，３８ｂが形成されている。大孔部３６ａ、３６ｂは、対応するスライド固着用突起部３１ａ，３１ｂのネジ頭３３ａ，３３ｂの挿通を許すサイズの径を有し、長孔部３７ａ、３７ｂの横幅は、ネジ頭３３ａ，３３ｂ及びつば部３４ａ，３４ｂの直径より小さい。凹部３８ａ，３８ｂは、筐体後部３と筐体本体部２が結合される際に、対応するスライド固着用突起部３１ａ，３１ｂのつば部３４ａ、３４ｂが嵌合する凹部であり、つば部３４ａ、３４ｂに適合する横幅と深さを有する。この凹部３８ａ，３８ｂの裏面の所定範囲において後述するようにテーパ面（図５（ｂ）の３９ａ）が形成されている。他のスライド部３５ｃ、３５ｄも同様の構造を有する。
【００１２】
筐体本体部２に対して筐体後部３を取り付けるには、図２に示すように、筐体本部２の背後から筐体後部３を設置し、屋根板部４下面のスライド固着用突起部３１ａ〜３１ｄのネジ頭３３ａ，３３ｂ，…を、左右側板部６ａ，６ｂのスライド部３５ａ〜３５ｄの対応する大孔部３６ａ，３６ｂ，…に落とし込み、その後筐体後部３全体を前方（矢印Ｘ方向）にスライドさせる。図５（ｂ）は、図５（ａ）のＧ−Ｇ線断面図であり、スライド部３５ａに、これに対応する突起部３１ａを落とし込んだ状態を示す。この状態では、各突起部３１ａ〜３１ｄのつば部３４ａ，３４ｂ，…はスライド部３５ａ〜３５ｄにおける対応する凹部３８ａ，３８ｂ，…に位置し、各突起部３１ａ〜３１ｄの隙間部３２ａ，３２ｂ，…はスライド部３５ａ〜３５ｄにおける対応する大孔部３６ａ，３６ｂ，…の高さに位置し、各突起部３１ａ〜３１ｄのネジ頭３３ａ，３３ｂ，…は対応する大孔部３６ａ，３６ｂ，…よりも下に突出する。この状態から筐体後部３（図５（ｂ）における屋根板部４）を前方つまり矢印Ｘ方向にスライドさせると、各突起部３１ａ〜３１ｄの隙間部３２ａ，３２ｂ，…がスライド部３５ａ〜３５ｄの対応する長孔部３７ａ，３７ｂ，…に案内されて前方に移動することができ、これによって筐体後部３が前方にスライドし、筐体本体部２に装着される。
【００１３】
各スライド部３５ａ〜３５ｄにおける凹部３８ａ，３８ｂ，…の裏面の所定範囲にはテーパ面３９ａ……がそれぞれ形成されている。テーパ面３９ａ……の傾斜は楽器前方に向かって下向きになされており、テーパ面３９ａ，…の下方傾斜に従ってスライド部３５ａ〜３５ｄが次第に肉厚になってゆく。テーパ面３９ａ，…の個所において、各スライド部３５ａ〜３５ｄの板厚は対応する突起部３１ａ〜３１ｄの隙間部３２ａ，３２ｂ，…の幅よりも徐々に厚くなる。このため、筐体後部３のスライド完了位置（つまり筐体後部３の取り付け位置）において、隙間部３２ａ，３２ｂ，…の個所で、すなわちネジ頭３３ａ，３３ｂ，…とつば部３４ａ，３４ｂ，…の間で、それぞれに対応するスライド部３５ａ〜３５ｄをきつく狭持する。すなわち、テーパ面３９ａ，…を登りきったネジ頭３３ａ，３３ｂ，…がスライド部３５ａ〜３５ｄの厚みにより下方へ押し下げられるので、屋根板部４は左右側板部６ａ，６ｂに強く押し付けられ固定される。このようにして、筐体後部３は、前方にスライドされて側板部６ａ，６ｂに固着され、筐体本体部２に対して取り付けられる。
【００１４】
図５（ｂ）に示すように、スライド部３５ａ〜３５ｄ裏面の後方端部には、それぞれアジャスタ突起部４０ａ，…が設けられている。アジャスタ突起部４０ａ，…は、各スライド部３５ａ〜３５ｄの大孔部３６ａ，３６ｂ，…の直後に設けられており、筐体本体部２から取り外すために筐体後部３を後方にスライドした際、スライド固着用突起部３１ａ〜３１ｄのネジ頭３３ａ，３３ｂ，…は、それぞれ対応するアジャスタ突起部４０ａ，…でスライドを停止される。アジャスタ突起部４０ａ，…により、スライド固着用突起部３１ａ〜３１ｄのネジ頭３３ａ，３３ｂ，…を対応する大孔部３６ａ，３６ｂ，…の下方に位置させることができる。よって、筐体後部３を筐体本体部２から取り外す作業を円滑に行える。
【００１５】
筐体本体部２と筐体後部３は、上述のスライド固着手段による結合に加えて、次に述べるように、底板部５と筐体後部３の後方下端部においても、更に結合されており、その結合をより強固かつ確実なものとしている。
【００１６】
背面板部７の下縁部５１は、図３（ｃ）に示すように、内側に向けて略水平方向に折れ曲がっており、この下縁部５１にはネジ孔５２ａ〜５２ｆが設けられている。結合保持板２１ａ〜２１ｃの下端部５３ａ〜５３ｃ（図３（ａ）参照）も折れ曲がり部となっていて、それぞれの下端部５３ａ〜５３ｃにはネジ孔５４ａ〜５４ｃが設けられている。背面板部７の下縁部５１は底板部５の下面の高さの位置に位置し、結合保持板２１ａ〜２１ｃの下端部５３ａ〜５３ｃは底板部５の上面の高さ位置に位置しており、下縁部５１と下端部５３ａ〜５３ｃの間に底板部５を挟み込む構造になっている。筐体後部３を筐体本体部２にスライド装着するときに、下縁部５１と下端部５３ａ〜５３ｃの間に底板部５の後縁部が嵌入される。背面板部７の下縁部５１は底板部５の下面側に接しており、各ネジ孔５２ａ〜５２ｆで底板部５に螺合される。また、結合保持板２１ａ〜２１ｃの下端部５３ａ〜５３ｃは底板部５の上面側に接しており、それぞれネジ孔５４ａ〜５４ｃで底板部５に螺合される。このネジ止めは、図１（ｃ）に示されているように、全て底板部５の下面からなされる。背面板部７の下縁部５１と結合保持板２１ａ〜２１ｃの下端部５３ａ〜５３ｃにおいて複数のネジ止めがなされ、かつ下縁部５１と下端部５３ａ〜５３ｃのそれぞれのネジ止め位置が楽器の前後方向にずれているので、筐体本体部２に固定された筐体後部３は前後方向にガタツキにくい。
【００１７】
筐体後部３を筐体本体部２から取り外すには、底板部５下面に施されたネジ止めを外し、筐体後部３を楽器後方（矢印Ｘと反対方向）にスライドさせる。これにより、筐体後部３の突起部３１ａ〜３１ｄとスライド部３５ａ〜３５ｄのテーパ面３９ａ，…との係合・固着が解かれる。各突起部３１ａ〜３１ｄのネジ頭３３ａ，３３ｂ，…は、スライド部３５ａ〜３５ｄに設けられたアジャスタ突起部４０ａ…で停止され、それぞれの対応する大孔部３６ａ，３６ｂ，…の下方の位置し、該大孔部３６ａ，３６ｂ，…を通って上方に移動可能となる。よって、後方スライド停止位置で筐体後部３を持ち上げることで、筐体後部３を筐体本体部２から容易に取り外すことができる。
【００１８】
図３に戻り、背面板部７には、音源等を含むメイン回路基板２２ａ、２２ｂが配設されており（図３（ａ）参照）、また屋根板部４裏面の操作パネル１２下方に当たる個所に、パネル回路基板６０が配置されている（図３（ｂ）参照）。このように筐体後部３の側に回路基板を配置とすることで、前記回路基板は筐体後部３と共に筐体本体部２に対して着脱可能となる。よって、筐体１内の回路基板等の保守作業を行う場合は、筐体後部３を筐体本体部２から後方にスライドさせて取り外して、筐体後部３を作業しやすい状態に置いた上で、メイン回路基板２２ａ、２２ｂ等の保守作業を行えばよいので、保守点検作業を行いやすい。また、底板部５にメイン回路基板２２ａ、２２ｂ等を配置するスペースを設けなくてもよいため、底板部５の前後方向サイズを縮小でき、楽器サイズの小型化及び楽器の軽量化を図ることができる。
前記実施例では、左右側板部６ａ，６ｂを筐体本体部２に帰属してこれと一体的に設けたが、左右側板部６ａ，６ｂを筐体後部３に帰属してこれと一体的に設けるようにしてもよい。この場合にあっても筐体本体部２に対し筐体後部３を後方から着脱させる本発明の技術思想を反映させることができる。この場合は、当然屋根板部４と側板部６ａ，６ｂとは裏面（内側）からＬ型金具を介して一体構成とするが、側板部６ａ，６ｂ前方と口棒部８左右両端部とにおいての嵌合は、単に突き合わせ構造のみとする。即ち、口棒部８両端面を左右側板部６ａ，６ｂ前方内縁が前方スライドして重なり、軽く接する構成に仕上げればよい。口棒部８と底板部５との結合は、前述した結合保持板２１ａ〜２１ｃを小さくし簡素化した結合金具若しくはＬ型金具で結合するものとする。
【００１９】
また、上述の例では、筐体後部３の後方下端部と筐体本体部２をネジ止めより固定する例を示したが、他の実施形態として、図６に示すように、ネジ止めを用いることなく、弾性変形嵌合手段（パッチン嵌合手段）で行うようにしてもよい。図６（ａ）は底板部５と背面板部７の一部を下面から見た概略斜視図であり、説明の便宜上、それぞれの左端部の一部分のみ図示して他を代表するものとする。図において、背面板部７の下縁部５１には、切り溝５１ａを介して嵌合突起６１が上向きに突設される。嵌合突起６１には係合用の孔６４が設けられている。嵌合突起６１に対応する底板部５の下面の所定個所には、弾性変形型の嵌合係止部６２が設けられている。図６（ｂ）は嵌合係止部６２だけを取り出して示す図で、見やすくするために（ａ）とは上下反転して示した。嵌合係止部６２は、嵌合突起６１の進入を許す凹部６５と、先端に嵌合離脱用の操作部６３ｂとそのすぐ内側で凹部６５に臨むように設けられた係合突起６３ａとを有する弾性嵌合体６３とで構成される。係合突起６３ａは片面テーパ状の先端を有し、凹部６５内に進退自在に臨むよう作用する。
背面板部７と底板部５を結合する際、嵌合突起６１を凹部６５に挿入させると、嵌合突起６１によって係合突起６３ａの片面テーパ部が押され、係合突起６３ａが凹部６５から後退し、嵌合突起６１の孔６４に対応する位置で係合突起６３ａに対する係合突起６１による押圧が解除され、弾性嵌合体６３による反発力により係合突起６３ａが凹部６５内に戻り、係合突起６３ａが嵌合突起６１の孔６４に嵌合する。係合突起６３ａが嵌合突起６１の孔６４に嵌合した状態を抽出して断面図にて示すと図６（ｃ）のようである。こうして背面板部７と底板部５とが固定される。上記突起６１が凹部６５に嵌入する途中において、上記切り溝５１ａを設けたことで基部５１ｂが弾性的になり背面板部７が底板部５に対しフレキシビリティを発生させ、スムーズな嵌合を可能にしている。
弾性嵌合体６３において、係合突起６３ａに略々直角に嵌合離脱用の操作部６３ｂが形成されている。背面板部７と底板部５の取り外しを行う際は、前記操作部６３ｂを引いて、係合突起６３ａを凹部６５から後退させ、嵌合突起６１の孔６４に対する係合突起６３ａの嵌合を解き、嵌合突起６１を凹部６５から外す。
このような２つの弾性変形嵌合手段（弾性嵌合体６３と基部５１ｂ）を用いると、筐体本体部２と筐体後部３の結合にネジ止めが一切不要となるので、筐体本体部２と筐体後部３の分解及び取り付け作業が容易になる。
【００２０】
なお、スライド固着手段としては、上述のタイプに限らず、筐体本体部２に対して、筐体後部３をスライド移動した後、固着するものであればいかなる機構によるものでもよい。また、本実施例においては、屋根板部４の裏面と、それに対応する側板部６ａ，６ｂの上面とを係合させ、前後方向にスライドする例を示したが、これに限らず、例えば、背面板部７の裏面７５と側板部６ａ，６ｂの後面を係合させ、上下方向にスライドするような構成等であってもよい。
また、上述の実施例においては、筐体後部３を構成する背面板部７と屋根板部４は略々直角をなして結合されていたが、これに限らず、例えば６０度、１２０度、・等適宜角度を持って結合されていればよい。
筐体後部３にメイン回路部等を設ける構成のみを実施する場合は、上述のスライド固着手段に代えて適宜の手段で筐体後部３と筐体本体部２を着脱自在に取り付けるようにしてもよい。
【００２１】
最後に、筐体後部３を筐体本体部２にスライド固着させるためのスライド固着手段の別の実施例につき図７により説明する。この実施例では、スライド部３５１ａ〜３５１ｄが筐体本体部２の底板部５に設けられており、該スライド部３５１ａ〜３５１ｄにスライド式に係合するスライド固着用突起部３１１ａ〜３１１ｄが、筐体後部３の屋根板部４から下方に延設された左右の脚部４１ａ，４１ｂの下縁に設けられている。例えば、図７（ａ）に見えるように、２つのスライド部３５１ｃ，３５１ｄが形成されたスライド部材３５１が、底板部５の一端（一方の側板部６ｂ寄りの箇所）に、ねじ止め等により取り付けられる。同様に、２つのスライド部３５１ａ，３５１ｂが形成されたもう１つのスライド部材が、底板部５の他端（他方の側板部６ａ寄りの箇所）に、ねじ止め等により取り付けられるが、図７（ａ）では側板部６ａの陰になっているので見ることができず、番号３５１ａ，３５１ｂのみを参考のために付記しておく。各スライド部３５１ａ〜３５１ｄは、図５（ａ），（ｂ）に示された前述のスライド部３５ａと同様に、大孔部（３６ａ）、長孔部（３７ａ）、テーパ面（３９ａ）等の要素を含んで構成される。よって、これらの要素の詳細図示及び説明は図５及びその説明を援用するものとし、図７ではこれらの要素の詳細図示及び説明は省略する。
【００２２】
屋根板部４の下面にて下向きに延びた脚部４１ａ，４１ｂの下縁は、内側に略直角に曲げられることで細長の水平部を成している。この脚部４１ａ，４１ｂの下縁の水平部において、下向きに、スライド固着用突起部３１１ａ〜３１１ｄが設けられている。脚部４１ｂに設けられる１つのスライド固着用突起部３１１ｃを拡大して示すと図７（ｂ）のようであり、図５（ｂ）に示された前述のスライド固着用突起部３１ａと同様に、ねじ頭３３１ｃ、間隙部３２１ｃ、つば部３４１ｃ等の要素を含んで構成される。スライド固着用突起部３１１ｃはナット３１２にねじ結合して脚部４１ｂの下縁水平部に固定される。底板部５に設けられた４つのスライド部３５１ａ〜３５１ｄの配置にそれぞれ対応するように、屋根板部４の脚部４１ａ，４１ｂにおいて４つのスライド固着用突起部３１１ａ〜３１１ｄが設けられる。他のスライド固着用突起部３１１ａ，３１１ｂ，３１１ｄは、図７（ａ）において陰になっているため明確には図示されてないが、突起部３１１ｃと同一の構成からなっている。
【００２３】
図７の実施例において、筐体後部３を筐体本体部２に取り付ける際の、各スライド固着用突起部３１１ａ〜３１１ｄの各スライド部３５１ａ〜３５１ｄに対するスライド固着動作は、図５に示した実施例における各スライド固着用突起部３１ａ〜３１ｄの各スライド部３５ａ〜３５ｄに対するスライド固着動作と同様であるため、説明を省略する。つまり、テーパ面の存在によって、矢印Ｘ方向に筐体後部３が筐体本体部２に押し込まれていくほど、かたく結合するようになる。なお、スライド部３５１ａ〜３５１ｄの上面から側板部６ａ，６ｂの上縁までの距離Ｄ１と、スライド固着用突起部３１１ａ〜３１１ｄのつば部（３４１ｃ）から屋根板部４の下面までの距離Ｄ２との関係は、適宜のクリアランスＣ分だけ、Ｄ１の方が長くなっている。つまり、Ｄ１＝Ｄ２＋Ｃである。これにより、屋根板部４が筐体本体部２の方に圧接され、かたい結合が得られる。
【００２４】
スライド固着手段における孔部及びテーパ面を有するスライド部３５１ａ〜３５１ｄとスライド固着用突起部３１１ａ〜３１１ｄとの配置（図７参照）は、上記実施例とは逆であってもよい。すなわち、大孔部（３６ａ）、長孔部（３７ａ）、テーパ面（３９ａ）等の要素（図５参照）を含んでなるスライド部３５１ａ〜３５１ｄ（図７参照）を、屋根板部４側の脚部４１ａ，４１ｂの下縁水平部に設け、スライド固着用突起部３１１ａ〜３１１ｄを上向きにして底板部５側のスライド部材３５１に設けるようにしてもよい。また、図５の例のような側板部６ａ，６ｂの側にスライド部３５ａ〜３５ｄを設ける場合も同様に、スライド固着手段における孔部及びテーパ面を有するスライド部３５ａ〜３５ｄとスライド固着用突起部３１ａ〜３１ｄとの配置を、上記実施例とは逆にしてよい。すなわち、大孔部（３６ａ）、長孔部（３７ａ）、テーパ面（３９ａ）等の要素を含んでなるスライド部３５ａ〜３５ｄを、屋根板部４側の下側に設け、スライド固着用突起部３１ａ〜３１ｄを上向きにして側板部６ａ，６ｂの上面に設けるようにしてよい。
【００２５】
以上のように、本実施例によると、筐体を見栄えよくかつ簡便に組み立てることができ、また筐体内部の保守点検もしやすい筐体構造を有する電子鍵盤楽器を提供できる。
【図面の簡単な説明】
【００２６】
【図１】（ａ）は本発明に係る電子鍵盤楽器の一実施例を示す平面図、（ｂ）は同実施例に係る電子鍵盤楽器の背面図、（ｃ）は同実施例に係る電子鍵盤楽器の底面図。
【図２】同実施例に係る電子鍵盤楽器の筐体を筐体本体と筐体後部に分けた概略斜視図。
【図３】同実施例に係る電子鍵盤楽器の筐体後部を説明するための図であって、（ａ）は筐体後部の立面図、（ｂ）は筐体後部の下面図、（ｃ）は筐体後部の側面図。
【図４】同実施例に係る電子鍵盤楽器の筐体本体の平面図。
【図５】同実施例に係る電子鍵盤楽器の筐体のスライド固着手段を説明するための図であって、（ａ）は図３に示した筐体本体の右側板部上面を拡大視した平面図、（ｂ）は（ａ）のＧ−Ｇ線断面図。
【図６】筐体後部と筐体本体の下方固定手段の他の実施例を説明するための図であって、（ａ）は下方固定手段の他の実施例を示す概略斜視図、（ｂ）は（ａ）のパッチン嵌合係止部の一例を示す概略斜視図、（ｃ）は係合突起６３ａが嵌合突起６１の孔６４に嵌合した状態を抽出して示す断面図。
【図７】筐体後部を筐体本体部にスライド固着させるためのスライド固着手段の別の実施例を説明するための図であって、（ａ）は筐体本体と筐体後部に分けて略示する概略分解斜視図、（ｂ）は筐体後部に設けられるスライド固着用突起部の側面図。
【符号の説明】
【００２７】
１  筐体
２  筐体本体部（第１の筐体部分）
３  筐体後部（第２の筐体部分）
４  屋根板部
５  底板部
６ａ，６ｂ  側板部
７  背面板部
８  口棒部
９  鍵盤部
２１ａ，２１ｂ，２１ｃ  結合保持板
３１ａ〜３１ｄ，３１１ａ〜３１１ｄ  スライド固着用突起部
３５ａ〜３５ｄ，３５１ａ〜３５１ｄ  スライド部
【図１】
2004213044.tif 000003
【図２】
2004213044.tif 000004
【図３】
2004213044.tif 000005
【図４】
2004213044.tif 000006
【図５】
2004213044.tif 000007
【図６】
2004213044.tif 000008
【図７】
2004213044.tif 000009